(57)【要約】      （修正有）【課題】良好な力学的動作と改善された空力学性能を備えた比較的騒音の低いブレードを提供する。【解決手段】本回転翼ブレードは、内側領域と前進領域と後退領域とを基準半径に沿って連続的に有し、限定的先細比を有する。さらに、前進領域（ＺＦＳ）の始端は、回転翼の基準半径Ｒの０．４７〜０．６５倍の範囲内にある。また、基準半径におけるブレードの先縁部は、ブレードの全体軸に対して−４０度〜−６０度の範囲の角度γを有している。【選択図】図１
2005206148.tif 000002
【特許請求の範囲】
【請求項１】
内側領域（ＺＩ）と、前進領域（ＺＦＳ）と、後退領域（ＺＢＳ）と、を基準半径Ｒに沿って連続的に有する回転翼用ブレード（Ｐ）であって、
前記前進領域（ＺＦＳ）の始端は、前記基準半径Ｒの０．４７〜０．６５倍の範囲内にあり、
前記基準半径Ｒにおける前記ブレードの先縁部は、当該ブレードの全体軸に対して−４０度〜−６０度の範囲の角度γを有していることを特徴とするブレード（Ｐ）。
【請求項２】
前記後退領域（ＺＢＳ）の始端は、前記基準半径Ｒの０．７５〜０．９０倍の範囲内にあることを特徴とする請求項１に記載のブレード（Ｐ）。
【請求項３】
前記前進領域（ＺＦＳ）は、５度〜１０度の範囲内にある前進角を有していることを特徴とする請求項１または２に記載のブレード（Ｐ）。
【請求項４】
前記後退領域（ＺＢＳ）は、−１５度〜−３０度の範囲内にある後退角を有していることを特徴とする請求項１ないし３のいずれか一項に記載のブレード（Ｐ）。
【請求項５】
前記後退領域（ＺＢＳ）は、一定で、且つ、前記前進領域（ＺＦＳ）の最外部の翼弦に等しい翼弦を有していることを特徴とする請求項１ないし４のいずれか一項に記載のブレード（Ｐ）。
【請求項６】
前記後退領域（ＺＢＳ）の先細比は、１〜２の範囲内にあることを特徴とする請求項１ないし４のいずれか一項に記載のブレード（Ｐ）。
【請求項７】
前記後退領域（ＺＢＳ）に続く外側領域（ＺＥ）をさらに有し、
前記最外領域は、先細比を有していることを特徴とする請求項１ないし６のいずれか一項に記載のブレード（Ｐ）。
【請求項８】
前記外側領域（ＺＥ）の始端は、前記基準半径Ｒの０．９２〜０．９７倍の範囲内にあることを特徴とする請求項７に記載のブレード（Ｐ）。
【請求項９】
前記先細比は、放物線状であることを特徴とする請求項７または８に記載のブレード（Ｐ）。
【請求項１０】
捩れ関係を充たす捩れ片を有していることを特徴とする請求項１ないし９のいずれか一項に記載のブレード（Ｐ）。
【請求項１１】
前記捩れ片の始端は、前記内側領域（ＺＩ）の始端と一致することを特徴とする請求項１０に記載のブレード（Ｐ）。
【請求項１２】
前記捩れ関係は、線形であることを特徴とする請求項１０または１１に記載のブレード（Ｐ）。
【請求項１３】
前記捩れ関係は、前記基準半径Ｒによって分割される−１０度〜−１３度の範囲内にある係数を有していることを特徴とする請求項１２に記載のブレード（Ｐ）。
【請求項１４】
外端部に二平面を形成する傾斜部Ｍを有していることを特徴とする請求項１ないし１３のいずれか一項に記載のブレード（Ｐ）。
【請求項１５】
前記基準半径における前記傾斜部（Ｍ）の傾斜角度δは、１０度〜２０度の範囲内にあることを特徴とする請求項１４に記載のブレード（Ｐ）。
【請求項１６】
前記内側領域（ＺＩ）の始端は、前記基準半径Ｒの０．１５〜０．３０倍の範囲内にあることを特徴とする請求項１ないし１５のいずれか一項に記載のブレード（Ｐ）。
【請求項１７】
前記基準半径は、５．０ｍ〜１０．０ｍの範囲内にあることを特徴とする請求項１ないし１６のいずれか一項に記載のブレード（Ｐ）。
【請求項１８】
６％〜８％の範囲内の翼厚プロファイルを有する少なくとも一つの部分を有し、
前記部分は、前記外側領域（ＺＥ）に含まれていることを特徴とする請求項７に記載のブレード（Ｐ）。
【請求項１９】
８％〜１０％の範囲内の翼厚プロファイルを有する少なくとも一つの区分を有し、
前記区分は、前記基準半径Ｒの７５％を越えた位置に配置されていることを特徴とする請求項１ないし１８のいずれか一項に記載のブレード（Ｐ）。
【請求項２０】
前記区分は、９％に等しい厚さの部分を少なくとも一つ含んでいることを特徴とする請求項１９に記載のブレード（Ｐ）。
【請求項２１】
前記内側領域（ＺＩ）は、一定である翼弦を有していることを特徴とする請求項１ないし２０のいずれか一項に記載のブレード（Ｐ）。
【請求項２２】
前記内側領域（ＺＩ）の翼弦は、Ｌの１．０〜１．１倍の範囲内にあり、
Ｌは、
【数１】
2005206148.tif 000005
で与えられ、
Ｌ（ｒ）は、前記翼弦が翼幅に沿ってどのように変化するかを決定する関係を表し、
Ｒ０は、翼断面の始端における半径を表し、
Ｒは、前記基準半径を表していることを特徴とする請求項２１に記載のブレード（Ｐ）。
【請求項２３】
前記前進領域（ＺＦＳ）は、一定である翼弦を有していることを特徴とする請求項１ないし２２のいずれか一項に記載のブレード（Ｐ）。
【請求項２４】
前記前進領域（ＺＦＳ）の前記翼弦は、前記内側領域（ＺＩ）の翼弦と等しいことを特徴とする請求項２３に記載のブレード（Ｐ）。
【発明の詳細な説明】
【技術分野】
【０００１】
本発明は、限定された先細比を有する回転翼用前進・後退ブレードに関する。回転翼は、揚力および水平推進力を有するヘリコプタ等の航空機を構成する部材である。
【背景技術】
【０００２】
通常、このような翼は、翼が取り付けられているヘリコプタを駆動するのに適した空力学的性能を有していなければならない。また、騒音認可のための恒常的制限規格を充たしていなければならない。その結果、今日、ブレードの形状は、時には相矛盾するこれら特徴の両方を考慮に入れて決定されている。
【０００３】
ブレードの空力学的性能を支配する寸法的考察については、本明細書で引用する特許文献１に詳述されている。
ブレード形状の騒音影響に関しては、知見は限られている。
【０００４】
しかし、マルチゾーンブレードが知られており、このマルチゾーンブレードは、回転翼の軸から始まり、そこから遠ざかる方向に、逆先細比、即ち増加する翼弦を有する内側領域と、最初は増加しその後減少する翼弦を有する前進領域と、減少する翼弦を有する後退領域と、を有している。
【０００５】
一つの領域は、その先縁部がブレード軸に対して正の角を形成する場合、即ち、ロータの回転方向前方に伸長している場合、“前方”に掃引（swept）されていると言われ、前記先端部が負の角度を形成する場合、“後方”に掃引(swept)されていると慣習的に言われている。
【０００６】
マルチゾーンブレードには、騒音公害を減少させるという利点がある。前進領域に続いて後退領域を設けることによって、ブレードの先縁部が、先行するブレードによりブレードの翼幅に沿って発生される渦の軸と平行になるのを防止している。さらに、後退領域の先細比が騒音に良い影響を与える。なぜなら、既知の翼形では、翼弦が短くなるにつれて厚さが減少することにより、いわゆる“厚さ”騒音が減少されるからであり、またブレード面積が先細比によって減少されることにより、その揚力が低下し、いわゆる“負荷”騒音が減少されるからである。
【０００７】
【特許文献１】ＦＲ  ２  ６８９  ８５２
【発明の開示】
【発明が解決しようとする課題】
【０００８】
しかし、このようなブレードは、特定の関心事である中心（即ち、空力学的中心、重心、及びピッチ軸に対する弾性中心）に対して満足のいく位置に配置されていないため、動力学的に述べると、制限がある。その結果、過剰な制御力が生じ、ロータの全体的な動力学的動作が劣る。
【０００９】
さらに、その空力学的性能は、同じ面積を有する従来のブレード程、良くない。特に、ホバリング時の良度指数が小さく、前進するブレードが前方飛行中に大重量により時期尚早の失速を起こす。
【００１０】
内側領域の逆先細比は、ブレードの重量を減少できるため有益である。しかし、特に後退領域が存在しているため、ブレードの根元部（即ち、内側領域の始端）は、そこに発生する捻りモーメントに耐えることが要求される。従って、回転翼の軸に近づくにつれてその厚さを増加させることにより、ブレードを堅固にすることが必要となる。このように、ブレードの翼形は、回転翼の軸から遠ざかるにつれ漸減するばかりでなく、前記軸に向かって厚さを増加させなければならないため、非常に複雑なものとなる。
このような複雑性が引き起こす困難については、当業者に想起させるまでもない。
【００１１】
また、内側領域の先細比は、ホバリング時の動作を厳しく制限し、このことは、最大離陸重量に直接の影響を与える。
【００１２】
従って、本発明の目的は、良好な力学的動作と改善された空力学的性能を備えた比較的静かなブレードを提供することである。
【課題を解決するための手段】
【００１３】
本発明によると、回転翼ブレードは、回転子盤半径、即ち、前記回転翼の半径に対応する基準半径に沿って連続的に配置された、内側領域と、前進領域と、後退領域とを備え、さらに、前進領域の始点は、前記基準半径の０．４７〜０．６５倍の範囲内にある。
【００１４】
後退領域の始端は、基準半径の０．７５〜０．９０倍の範囲内にある。
【００１５】
さらに、前進領域は、５度から１０度の範囲にある前進角を有する。
【００１６】
同様に、後退領域は、−１５度から−３０度の範囲にある後退角を有する。
【００１７】
後退領域は、一定で、且つ、前記前進領域の最外部の翼弦と等しい翼弦を有していることが好ましい。
【００１８】
これにより、ブレードの製造に関する制限を緩和する。
【００１９】
好ましい実施態様では、後退領域の先細比は１〜２の範囲にあり、即ち、前記領域の最外部の翼弦に対する同領域の最内部の翼弦の比は、１対２の範囲内にある。
【００２０】
さらに、ブレードが後退領域に続く外側領域を含んでいるため、前記外側領域もまたテーパ状に形成されている。
【００２１】
外側領域の先細比と細い部分は、ホバリング時と高速時の空力学的性能を改善すること、領空を飛行する際の騒音を減少させることの両方の利点を備えている。
【００２２】
一例として、外側領域の始端を、基準半径の０．９２〜０．９７倍の範囲内にすることができる。
【００２３】
この先細比は放物線状であるのが好ましく、先縁部は、基準半径におけるブレード軸に対して、その軸から−４０度〜−６０度の範囲にある角度を有している。この位置において、厚さは翼弦の６％〜８％の範囲内にある。
【００２４】
基準半径においてこのように角度が付けられている先縁部を有していることは、入射マッハ数（即ち、音速で分割される先縁部に対して垂直に測定される翼形の気流速度の指数）を減少させる働きがあるため、特に重要である。
【００２５】
翼の空力学的動作は、ブレードの入射マッハ数と直接関連している。
【００２６】
このように、ブレードの先端において入射マッハ数を減少させることにより、亜音速領域で連続的に操作することが可能となり、これにより遷音速領域に特有の圧縮性ショックを防止することができる。
【００２７】
さらに、音響的に述べると、入射マッハ数を減少させることは、結果として、騒音を減少させることになる。
【００２８】
さらに、ブレードは、捩れ関係に応じた捩れ片を有する。
【００２９】
捩れ片の始端は、内側領域の始端と一致していることが、好ましい。
【００３０】
捩れ関係は、少なくとも基準半径の０．９倍まで線形であることが好ましい。また、捩れ関係は、基準半径により分割される−１０度〜−１３度の範囲にある係数を有している。
【００３１】
他の特性によると、ブレードは、外側領域内の先端において二平面を形成する傾斜部を有している。
【００３２】
この傾斜部の傾斜角度δは、基準半径において１０度〜２０度の範囲内にある。
【００３３】
さらに、翼形内側領域の始端は、基準半径の０．１５〜０．３０倍の範囲内にある。
【００３４】
基準半径は、５メートル（ｍ）〜１０メートルの範囲内にあるのが好ましい。
【００３５】
さらに、ブレードは、少なくとも一つの６％〜８％の範囲の翼厚を有する区分を含み、この区分は、外側領域に含まれている。
【００３６】
同様に、ブレードは、少なくとも一つの８％〜１０％の範囲の翼厚を有する区分を含んでおり、前記区分は基準半径の７５％を越えたところに位置している。とりわけ、この区分は、９％に等しい厚さを有する部分を少なくとも一つ含んでいる。
【００３７】
内側領域は、一定の翼弦を有することが好ましい。
【００３８】
この翼弦は、Ｌが以下の式で与えられる場合、Ｌの１．０〜１．１倍の範囲内にある。
【００３９】
【数１】
2005206148.tif 000003
【００４０】
Ｌ（ｒ）は、翼弦がどのように翼幅に沿って変化するかを決定する関係を示し、Ｒ０は、翼形部の始端における半径を示し、Ｒは、基準半径を示している。
【００４１】
同様に、前進領域は、一定で、且つ、内側領域の翼弦と等しい翼弦を有している。
【発明を実施するための最良の形態】
【００４２】
本発明は、添付の図面を参照して記述された以下の実施形態の説明において、より詳しく説明されている。図１は、ブレードの平面図であり、図２は、その同じブレードの前面図である。両図に共通の要素には、各図において同じ参照番号を付与している。
【００４３】
図１を参照すると、ブレードＰは、ＡＲＴで図示したリードラグ・フラッピングヒンジに接続部材Ｔによって固定され、駆動軸ＲＯＴに接続されて、略垂直な軸Ｏｚの周りを回転する。
【００４４】
ブレードの自由端あるいは外側端部ＥＥは、ここで“基準半径”Ｒで参照される軸Ｏｚから距離Ｒだけ離れたところに位置している。
【００４５】
ブレードＰは、接続部材Ｔに固定された内側端部ＥＩから始まる内側領域ＺＩと、前進領域ＺＦＳと、後退領域ＺＢＳと、外側領域と、を連続して有している。
【００４６】
ブレードの翼形部の始端に対応する内側端部ＥＩは、ロータ軸から一定の距離を隔てていることが好ましく、その距離は基準半径の１５％〜３０％の範囲内であり、理想的には２７％である。
【００４７】
内側領域ＺＩと前進領域ＺＦＳとの間の境界は、好適には基準半径の４７％〜６５％の範囲にあり、理想的には６０％にある。
【００４８】
前進領域ＺＦＳと後退領域ＺＢＳとの間の境界は、基準半径の７５％〜９０％の範囲にあり、理想的には８５％にある。
【００４９】
前進領域ＺＦＳと外側領域ＺＥとの間の境界は、基準半径の０．９２倍〜０．９７倍の範囲にある。
【００５０】
内側領域ＺＩは、一定で、且つ、Ｌが以下の式で与えられる場合、Ｌの１倍から１．１倍の範囲、理想的には、Ｌの１．０７倍である翼弦を有している。
【００５１】
【数１】
2005206148.tif 000004
【００５２】
Ｌ（ｒ）は、翼弦がどのように翼幅に沿って変化するかを決定する関係を示し、Ｒ０は、翼形部の始端における半径を示し、Ｒは、基準半径を示している。
【００５３】
前進領域ＺＦＳもまた、一定で、結果的に内側領域ＺＩの翼弦に等しい値の翼弦を有していることが好ましい。前進角αは、５度〜１０度の範囲内にあり、好ましくは７度である。
【００５４】
後退領域ＺＢＳは、その二つの端部間に、１〜２の範囲で、理想的には１．５に等しい先細比を有する翼弦を有していることが好ましい。先細比は、最外部の翼弦（即ち、外側領域に隣接する部分）に対する最内部の翼弦（即ち、前進領域に隣接する部分）の比である。後退角βは、−１５度〜−３０度の範囲内にあり、好ましくは−２５度である。
【００５５】
外側領域ＺＥは、基準半径（即ち、ブレードの外端部）において、−４０度から−６０度の範囲で理想的には−４５度の角度γの放物線を描く先縁部を有している。
【００５６】
最後に、ブレードは、図２に示したような二平面を形成する傾斜部Ｍによって終結されている。この傾斜部Ｍは、１０度〜２０度の範囲の、理想的には１６度の傾斜角度δで、下方向に傾斜している。
【００５７】
さらに、ブレードの一片は、捩れている。この片は、内側領域から外側領域まで伸長していてもよい。好ましくは、捩れ関係は、線形であり、Ｒが前述したように基準半径を表している場合、−１０°／Ｒ〜−１３°／Ｒの範囲内にある係数を有している。理想的には、この係数は、−１２°／Ｒである。
【図面の簡単な説明】
【００５８】
【図１】ブレードの平面図である。
【図２】図１のブレードの前面図である。
【図１】
2005206148.tif 000006
【図２】
2005206148.tif 000007
【外国語明細書】
2005206148000001.pdf